(57)【要約】      （修正有）【課題】着物を簡易に正しく着用することができる帯の巻き方に適した帯を提供する。【解決手段】６通柄の帯において、太鼓柄領域Ｅと、無地領域Ｄ’と、胴柄領域Ｃ’がこの順に連続して形成されているものとする。無地領域Ｄ’は、太鼓柄領域Ｅ側からみて最初に着用者の背の略中央に相当する帯の手先方向の位置となる第１の仮想線Ｘ１と、さらに着用者の胴回りを１周して背の略中央に相当する帯の手先方向の位置となる第２の仮想線Ｘ２との間に設けられているものとする。これにより、２回回しをした場合に胴柄領域Ｃ’の装飾が表出する。【選択図】図４
0003216259.tif 000002
【実用新案登録請求の範囲】
【請求項１】
６通柄の帯であって、
太鼓柄領域と、
前記太鼓柄領域側からみて最初に着用者の背の略中央に相当する帯の手先方向の位置となる第１の仮想線と、さらに着用者の胴回りを１周して背の略中央に相当する帯の手先方向の位置となる第２の仮想線との間に設けられている無地領域と、
前記無地領域に連続して設けられている胴柄領域と、
が垂れ先側から順に連続して形成されている帯。
【請求項２】
前記胴柄領域において、前記第２の仮想線から着用者の胴回りを略半周する位置に主たる装飾柄が形成されている
請求項１に記載の帯。
【考案の詳細な説明】
【技術分野】
【０００１】
本考案は着物と共に使用される帯に関する。
【背景技術】
【０００２】
一般に和服（着物）の着用は稀となり、成人式や結婚式等の特別な機会に限られている。そして着付けも容易ではないと認識されている。
下記特許文献１には、着付けを容易にする帯の技術が開示されている。
【先行技術文献】
【特許文献】
【０００３】
【特許文献１】実公平４−５４１７３号公報
【考案の概要】
【考案が解決しようとする課題】
【０００４】
着付けを容易化する帯の巻き方が考案されているが、いわゆる６通柄の帯であると、巻き方によっては無地部分が表出してしまうことがある。
そこで本開示では、着付けが容易な巻き方を提示するとともに、その巻き方に対応して装飾柄を適切に表出させることができる帯を提供する。
【課題を解決するための手段】
【０００５】
本考案に係る帯は、６通柄の帯であって、太鼓柄領域と、前記太鼓柄領域側からみて最初に着用者の背の略中央に相当する帯の手先方向の位置となる第１の背中線と、さらに着用者の胴回りを１周して背の略中央に相当する帯の手先方向の位置となる第２の背中線との間に設けられている無地領域と、前記無地領域に連続して設けられている胴柄領域とが垂れ先側から順に連続して形成されているものとする。
帯は太鼓柄領域により太鼓部分を作るのであるが、その太鼓柄領域に連続する部分を着用者の胴回りに２回回しすることで、着付けを容易化できる。この場合に、太鼓柄領域と、無地領域と、胴柄領域がこの順に連続して形成されていることで、胴柄領域の装飾を適切に表出させることができる。
【０００６】
上記した帯においては、前記胴柄領域において、前記第２の背中線から着用者の胴回りを略半周する位置に主たる装飾柄が形成されているようにする。
これにより、主たる装飾柄が、着用者の正面側に表れるようにすることができる。
【考案の効果】
【０００７】
本考案によれば、着付けを容易化した帯の巻き方を行っても装飾が適切に表出する６通柄の帯を提供できる。
【図面の簡単な説明】
【０００８】
【図１】実施の形態における帯の説明図である。
【図２】実施の形態における帯の平面型ファスナーの説明図である。
【図３】実施の形態における太鼓部及び胴回り部の説明図である。
【図４】実施の形態における改良した帯の説明図である。
【図５】実施の形態における帯の変形例の説明図である。
【図６】実施の形態における帯の変形例の説明図である。
【考案を実施するための形態】
【０００９】
本考案に係る帯を実施するための形態について図面を参照しながら説明する。
図１（ａ）は一般的によく使用されている袋帯の表面、図１（ｂ）は裏面を示したものである。
このような帯は一般に６通柄の帯といわれており、表面の６割には帯の柄が、裏面は無地となるように構成されている。
帯柄は表面の左側端部を手先Ａとして手先柄領域Ｂ、無地となるように成形された第１領域Ｃ、帯の胴回り部分となり胴柄が成形された第２領域Ｄ、帯の太鼓部を形成する太鼓柄領域Ｅとなるように構成され、右側端部を垂れ先Ｆと呼ぶことにする。また裏面は、一般的に全部無地、又は無地に近い柄となるように成形されている。
また説明上、第２領域Ｄと太鼓柄領域Ｅを境界を仮想線Ｘ１で区切ることとする。仮想線は、必ずしも帯上に視認可能に表されている線に限られることはなく、位置を説明する際に仮想的に用いられる線である。
【００１０】
また袋帯の場合は帯の全長が４ｍ２０ｃｍ程となり、名古屋帯の場合は帯の全長が３ｍ６０ｃｍ程となる。
なお、本実施の形態では、帯の全長は上記長さよりも１０〜２０ｃｍ程長く余裕を持って作られている。また、帯の全長は上記長さに限定されることはなく様々な態様が考えられる。例えば、変わり結び等の手法により帯を結ぶ際には、手先Ａから更に帯を縫い合わせることで手先柄領域Ｂをより長く設けることが可能となる。
【００１１】
第２領域Ｄの位置Ｋ１、Ｋ１には、帯の前側に位置するように付けられた胴柄模様が取り付けられており、太鼓柄領域Ｅの太鼓部の上側中心に設けられた位置Ｑには太鼓模様が取り付けられている。
なお、このような模様は必ずしも取り付けられているとは限らなし、取り付ける数が２つに限られることもなく、一つでもよいし三つ以上であってもよい。また胴柄模様と太鼓模様のみから成形されるいわゆるお太鼓柄の帯もあり、このような帯は名古屋帯に多く見受けられる。胴柄と太鼓柄は、普通は同一の模様によって構成される場合も多い。
【００１２】
このような帯は、通常、着物の上から着用する場合に、手先Ａ側から胴に巻き付けることによって第２領域Ｄが外観上に表れるように覆われ、残りの帯部分、すなわち太鼓柄領域Ｅを背後でほぼ直角に折り曲げるように折り込んで太鼓部を形成する。このような場合、背後で太鼓部を形成する着付け作業は、着付けの経験のあまりない現代の若者や外国人等にとって極めて難しいといった問題がある。
そこで、種種の小道具を利用して帯の結び方が容易になるように工夫をしている。
【００１３】
図２（ａ）は、先に本出願人が提案した平面型のファスナー（以下、面ファスナーという）を利用して帯結びが容易になるようにした概要図（例えば、実公平４−４１７３号公報）を示すもので、予め帯の裏面に複数個の面ファスナー片ａ、ｂ、ｃ、ｄ等が取り付けられている。
【００１４】
面ファスナーａ、ｂの部分をマイナス側面ファスナーとすると、面ファスナーｃはプラス側の面ファスナーとしている。そして、面ファスナーａとｂを図２（ｂ）に示すように互いに重ね合わせることによって、帯を二つ折りして胴回りとなる部分（胴回り部２０）を作ると共に、この重合した面ファスナーａ、ｂを三角形の頂点として、さらに、図２（ｃ）に示すように面ファスナーｃに結合圧着し、太鼓部（たれ先部）１０に対して直交するように胴回り部２０を折り曲げることができるようにしている。
【００１５】
面ファスナーｄは図３に概略が示されているように直交する方向に形成された胴回り部２０の折り返し位置を調整するための調整ベルト３０を面ファスナーにより取り付けるために設けたものである。
この調整ベルト３０は上記面ファスナーｄと結合するように、調整ベルト３０の下面に面ファスナー３３ａが取り付けられ、両端には帯枕の紐等を挿入する紐通し３１ａ、３１ｂが設けられると共に、下方に向かってクリップ３２ａ、３２ｂが垂れ下がるように構成されている。
【００１６】
帯を着用する際には、この調整ベルト３０の下面に設けた面ファスナー３３ａと帯の面ファスナーｄを結合し、図のように予め折り畳んでいた胴回り部２０を矢印方向に胴に巻き付けるときに、最初の折り返し点を逆方向に折り曲げてクリップ３２ｂの尖端に挟んで、その折り返し点をベルトのＬ、Ｍ、Ｓのいずれかの位置に合わせる。
【００１７】
そして、太鼓部１０の部分を通常は一重又は二重に折り込んで飾り太鼓を形成する。形成されたこの太鼓を補助具等でその形が崩れないように仮止めし、次に、この太鼓を適当な紐によって背中に仮止めする。このとき、面ファスナーａ、ｂを三角形の頂点を通る線が仮想線Ｚとされ、帯の巻き付けの際には、仮想線Ｚが着用者の背中線に重なるように太鼓を背中に仮止めする。
【００１８】
その後、胴回り部２０を背中から前に向かって二回り巻き付けて仮止めしておく。この時、図４に示すように、一回り目に着用者の背中線とほぼ重なる部分を仮想線Ｘ２とし、二回り目に当該背中線とほぼ重なる部分を仮想線Ｘ３とする。
そして、背後に手を回して手先Ａと手先柄領域Ｂを太鼓の中に装着して帯び〆で固定し、着物を着用する。
【００１９】
このようにすると、胴回りに帯を巻き付ける前に太鼓部１０を所望の形に折り曲げて太鼓を形成でき、かつ、胴回り部２０を背中から前に向かって帯を二重に巻き付けるだけの簡単な手順で帯結びを行うことが可能となる。
しかしながら、図１に示すような従来の帯を用いて、胴回り部２０を背中から前に向かって帯を二重に巻き付ける手順による帯結びを行うと、最後に無地の第１領域Ｃが着用者の正面側に露出するようになり、装飾柄の付された第２領域Ｄが下側に隠されて見た目が悪くなるという問題がある。
また、そのような問題を回避するために、最後に無地の第１領域Ｃを折り曲げ、手先Ａを太鼓部１０に挿通させることで、無地の第１領域Ｃが着用者の正面側に露出しないようにすることも考えられる。しかしながらこのような手法は、第１領域Ｃを折り曲げる位置を決める必要があり、このような位置決めは、着物になじみのない者にとって非常に難しいものとなっている。
【００２０】
ここで、上記問題を解決するための６通柄の帯の形状について、図４を用いて説明する。
図４（ａ）は帯の表面を、図４（ｂ）は帯の裏面を示している。図４に示す帯は、裏面が無地となるように構成されている点は従来と同様であるが、表面において、第１領域Ｃ’（以下、胴柄領域Ｃ’とも表記する）の胴回り部分に装飾柄が付され、第２領域Ｄ’（以下、無地領域Ｄ’とも表記する）が無地で成形されている点で相違する。すなわち、表面の左側端部を手先Ａとして手先柄領域Ｂ、胴柄領域Ｃ’、無地領域Ｄ’、右側端部を垂れ先Ｆとする太鼓柄領域Ｅとなるように構成される。
また胴柄領域Ｃ’の位置Ｋ２、Ｋ２には胴柄模様が設けられている。太鼓柄領域Ｅには、図１に示す帯と同様に太鼓模様が位置Ｑに設けられている。
【００２１】
胴柄領域Ｃ’に設けられた装飾柄は、仮想線Ｙに柄の中心がくるように成形されている。仮想線Ｙは、上記二重に巻き付ける手順によって帯結びを行った際に、着用者の正面側の正中線、いわゆる前中心にほぼ重なる部分をいう。位置Ｋ２、Ｋ２に胴柄模様が設けられている場合、当該胴柄模様についても中心が仮想線Ｙにくるように設けられている。
【００２２】
仮想線Ｙは手先Ａからの長さにより位置決めすることができる。一般的には手先Ａから仮想線Ｘ３までは、ほぼ７０ｃｍとされ、その仮想線Ｘ３から５５〜６０ｃｍの位置を区切る部分を仮想線Ｙとしている。ここで、手先Ａから仮想線Ｘ３までの長さ、及び仮想線Ｘ３から仮想線Ｙまでの長さは、上記長さに限定されることはなく着用者の体型や帯の用途に応じて様々な態様が考えられる。
なお、帯の胴柄領域Ｄにおける仮想線Ｙの位置は着用者の体型の違いによってずれが生じることがある。この場合、図３に示すクリップ３２ａ、３２ｂの位置を調整することによって、仮想線Ｙが丁度前中心になるように胴回り部２０の長さを調整することがでる。
また胴回り部２０の長さを調整することで、２回回したときの手先Ａが丁度太鼓部１０にフィットするように設定することができる。 
【００２３】
次に図４に示す帯の着用方法について説明する。
帯を着用するにあたり、まず図３の太鼓部１０と胴回り部２０を前記したファスナーａ、ｂ、ｃにより形成し、調整ベルト３０を付けることによって胴回り部２０の長さを調整する。そして、着用者の背中線に仮想線Ｚが重なるように太鼓部１０を着用し、太鼓部１０を折り込んで種種の形にして、その形を図示しないクリップ等で保持する。
【００２４】
その後、胴回り部２０を仮想線Ｚから着用者の正面方向に向かって仮想線Ｘ２が着用者の背中線に重なるまで巻き付けることで一回り目の巻き付けが完了する。この状態では、着用者の正面側には、無地領域Ｄ’が外観上表れることになる。
【００２５】
続いて、残りの胴回り部２０をさらに仮想線Ｘ２から正面方向に向かって仮想線Ｘ３が背中線に重なるまで巻き付けることで二回り目の巻き付けが完了する。この状態において、一回り目に露出していた無地部分を覆うようにして、着用者の正面側に装飾柄を付した胴柄領域Ｃ’が外観上表れることとなる。
【００２６】
最後に、手先柄領域Ｂを含む残りの胴回り部２０を背後に手を回して太鼓の中に装着して帯び〆で固定し、着物を着用する。
このように、図４に示す帯を用いて上記手順による帯結びを行うと、着用時に無地の領域が着用者の正面側に露出することがなくなり、綺麗な装飾柄が付された胴柄領域Ｃ’を表出することができる。
またあらかじめ着用者の前中心を想定して装飾柄の中心に、及び胴柄模様の中心が仮想線Ｙの位置にくるように帯を成形しているため、着用時にバランスのよい装飾柄及び模様を表示することができ、美しい外観を維持することができる。
【００２７】
以上の実施の形態によれば以下の効果が得られる。
実施の形態の帯は、図４に示す６通柄の帯であって、太鼓柄領域Ｅと、太鼓柄領域Ｅ側からみて最初に着用者の背の略中央に相当する帯の手先方向の位置となる第１の仮想線Ｘ１と、さらに着用者の胴回りを１周して背の略中央に相当する帯の手先方向の位置となる第２の仮想線Ｘ２との間に設けられている無地領域Ｄ’と、無地領域Ｄ’に連続して設けられている胴柄領域Ｃ’とが垂れ先側から順に連続して形成されているものとする。
【００２８】
帯は太鼓柄領域Ｅにより太鼓部分を作るのであるが、その太鼓柄領域Ｅに連続する胴回り部２０を着用者の胴回りに２回回しするといった容易な方法により着付けをすることができる。これは、近年着付けをあまりする機会のない若者や外国人等にとっては、簡単に本格的な着付けをすることができる。
また、太鼓柄領域Ｅと、無地領域Ｄ’と、胴柄領域Ｃ’がこの順に連続して形成されていることで、胴柄領域Ｃ’の装飾を適切に表出させることができる。これにより、美しい美感を維持しつつ容易な方法で着付けをすることができる。
【００２９】
また上記した帯においては、胴柄領域Ｃ’において、第２の仮想線Ｘ２から着用者の胴回りを略半周する仮想線Ｙ上に主たる装飾柄が形成されているようにする。
主たる装飾柄が、着用者の正面側に表れるようにすることにより、胴柄領域Ｃ’の装飾を見栄えよく表示することができる。これは、名古屋帯のような、胴柄模様と太鼓模様のみから成形される帯に特に有効である。
【００３０】
また本実施の形態の帯の表面は、図５に示すように、胴柄領域Ｃ’の装飾柄や胴柄模様が着用者の正面側に表れていれば、胴柄領域Ｃ’の部分に無地の領域Ｇが設けられていてもよい。
【００３１】
また本実施の形態の帯の表面は、図６（ａ）に示すように、無地領域Ｄ’に装飾柄や胴柄模様が付されていてもよい。これにより、本実施の形態での着用者の胴回りに２回回しするといった帯の巻き方だけでなく、従来の伝統的な帯の巻き方にも当該帯を用いることができるようになる。
【００３２】
また本実施の形態の帯の裏面は、図６（ｂ）に示すように、面ファスナーａ、ｂ、ｃ、ｄを取り付けないこととしてもよい。即ち、本考案に係る帯は、図３に示す調整ベルト３０を用いなくとも帯結びを行うことが可能である。
【００３３】
このような図６に示す帯について帯結びを行う際には、帯を二つ折りして胴回りとなる部分を作ると共に、この重合した面の仮想線Ｘ１の位置を頂点とする略三角形が形成されるように折りたたみ、図２（ｃ）に示すような太鼓部（たれ先部）１０に対して直交するように胴回り部２０を折り曲げる。
そして、着用者の背中線に仮想線Ｚが重なるように太鼓部１０を着用し、太鼓部１０を折り込んで種種の形にして、その形を図示しないクリップ等で保持する。
【００３４】
その後、胴回り部２０を仮想線Ｚから着用者の正面方向に向かって仮想線Ｘ２が着用者の背中線に重なるまで巻き付けることで一回り目の巻き付けが完了する。この状態では、着用者の正面側には、領域Ｄ’が外観上表れることになる。
【００３５】
続いて、残りの胴回り部２０をさらに仮想線Ｘ２から正面方向に向かって仮想線Ｘ３が背中線に重なるまで巻き付けることで二回り目の巻き付けが完了する。この状態において、一回り目に露出していた無地部分を覆うようにして、着用者の正面側に装飾柄を付した胴柄領域Ｃ’が外観上表れることとなる。つまり、仮想線Ｙが着用者の前中心にほぼ重なる状態となる。なお、各仮想線の長さは、手先Ａから測定することで定められる。
【００３６】
なお、上記した仮想線Ｘ１〜仮想線Ｘ３、仮想線Ｙ及び仮想線Ｚの位置は、帯の太鼓柄模様の位置Ｑ、着用者の体型（胴回り）などによって一義的に決めることはできないが、おおまかに上記位置に定まることとすればよい。
【００３７】
また仮想線Ｘ２から着用者の胴回りを略半周する仮想線Ｙに主たる装飾柄が形成されてることとしているが、着物の着用の際に、必ずしも着用者の正面の正中線上に装飾柄や胴柄模様の中央が位置する必要はない。帯の結び方や着用者の体型、装飾柄や胴柄模様の見せ方の好みに応じて、適宜調節してもよい。
【００３８】
また、図４乃至図６を用いて説明した本考案に係る帯は、本考案の考案者が名称を「ハナワ帯」として提案したものである。
上述した実施の形態における当該帯の説明は本考案の一例であり、本考案は上述の実施の形態に限定されることはない。このため、上述した各実施の形態以外であっても、本考案に係る技術的思想を逸脱しない範囲であれば、設計等に応じて種々の変更が可能であることはもちろんである。
【符号の説明】
【００３９】
Ａ…手先、Ｂ…手先柄領域、Ｃ’…胴柄領域、Ｄ’…無地領域、Ｅ…太鼓柄領域、Ｆ…垂れ先
【図１】
0003216259.tif 000003
【図２】
0003216259.tif 000004
【図３】
0003216259.tif 000005
【図４】
0003216259.tif 000006
【図５】
0003216259.tif 000007
【図６】
0003216259.tif 000008